(57)【特許請求の範囲】
【請求項１】
無線通信のための方法であって、
第１のラジオ・アクセス技術（ＲＡＴ）のフレームにおける１または複数のブランク・サブフレーム構造を決定することと、
前記１または複数のブランク・サブフレーム構造のタイミングを繰り返すように、第２のＲＡＴのフレームにおける１または複数の第２のサブフレーム構造を生成することと
を備え、前記生成することは、前記１または複数の第２のサブフレーム構造を、前記第２のＲＡＴのフレームのうちの他のサブフレーム構造から分離することによって実行され、
前記方法はさらに、
前記１または複数の第２のサブフレーム構造が、前記第２のＲＡＴのフレームにおける他のサブフレーム構造とは異なるフレームにおいて不連続的に送信されるように、前記第１のＲＡＴの１または複数のブランク・サブフレーム構造の代わりに、前記第２のＲＡＴの１または複数の第２のサブフレーム構造を用いて、前記第１のＲＡＴのフレームを送信すること
を備える方法。
【請求項２】
前記第１のＲＡＴは、ロング・ターム・イボリューション（ＬＴＥ）である請求項１に記載の方法。
【請求項３】
前記第２のＲＡＴは、ＩＥＥＥ  ８０２．１６ｍである請求項２に記載の方法。
【請求項４】
前記ブランク・サブフレーム構造は、１０ミリ秒の周期を有し、３つの連続した１ミリ秒のブランク・サブフレームを備え、前記第２のサブフレーム構造は、４つのＩＥＥＥ  ８０２．１６ｍフル・サブフレームと、ＩＥＥＥ  ８０２．１６ｍショート・サブフレームとを備える請求項３に記載の方法。
【請求項５】
前記ブランク・サブフレーム構造は、４０ミリ秒の周期を有し、前記第２のサブフレーム構造は、前記フレーム内にランダムに位置する１ミリ秒のブランク・サブフレームと置き換わる請求項３に記載の方法。
【請求項６】
前記ブランク・サブフレーム構造は、５ミリ秒毎に、２つの連続した１ミリ秒のブランク・サブフレームを備え、前記第２のサブフレーム構造は、３つのＩＥＥＥ  ８０２．１６ｍサブフレームを備える請求項３に記載の方法。
【請求項７】
前記３つのＩＥＥＥ  ８０２．１６ｍサブフレームは、２つのダウンリンク（ＤＬ）サブフレームと１つのアップリンク（ＵＬ）サブフレームとを備える請求項６に記載の方法。
【請求項８】
前記ブランク・サブフレーム構造は、制御シンボルを伴うマルチメディア・ブロードキャスト単一周波数ネットワーク（ＭＢＳＦＮ）サブフレームを備える請求項３に記載の方法。
【請求項９】
前記ブランク・サブフレームは、３つの連続するＭＢＳＦＮサブフレームを備え、各ＭＢＳＦＮサブフレームは、約０．８３ミリ秒のギャップを有し、前記第２のサブフレーム構造は、３つのＩＥＥＥ  ８０２．１６ｍサブフレームを備える請求項８に記載の方法。
【請求項１０】
前記ブランク・サブフレーム構造は、５ミリ秒毎に２つの連続するＭＢＳＦＮサブフレームを備え、各ＭＢＳＦＮサブフレームは、約０．８３ミリ秒のギャップを有し、前記第２のサブフレーム構造は、２つのＩＥＥＥ  ８０２．１６ｍサブフレームを備える請求項８に記載の方法。
【請求項１１】
前記第２のＲＡＴは、ＩＥＥＥ  ８０２．１６ｅにしたがうワールドワイド・インタオペラビリティ・フォー・マイクロウェーブ・アクセス（ＷｉＭＡＸ）である請求項２に記載の方法。
【請求項１２】
前記ブランク・サブフレーム構造は、５ミリ秒毎に２つの連続する１ミリ秒のブランク・サブフレームを備え、前記第２のサブフレーム構造は、１２の直交周波数分割多重化（ＯＦＤＭ）ダウンリンク（ＤＬ）シンボルおよび６つのＯＦＤＭアップリンク（ＵＬ）シンボルを備える請求項１１に記載の方法。
【請求項１３】
格納された命令群を有するコンピュータ読取可能な記録媒体であって、
前記格納された命令群は、１または複数のプロセッサによって実行可能であり、
第１のラジオ・アクセス技術（ＲＡＴ）のフレームにおける１または複数のブランク・サブフレーム構造を決定するための命令群と、
前記１または複数のブランク・サブフレーム構造のタイミングを繰り返すように、第２のＲＡＴのフレームにおける１または複数の第２のサブフレーム構造を生成するための命令群と
を備え、前記生成するための命令群は、前記１または複数の第２のサブフレーム構造を、前記第２のＲＡＴのフレームのうちの他のサブフレーム構造から分離することによって実行され、
前記格納された命令群はさらに、
前記１または複数の第２のサブフレーム構造が、前記第２のＲＡＴのフレームにおける他のサブフレーム構造とは異なるフレームにおいて不連続的に送信されるように、前記第１のＲＡＴの１または複数のブランク・サブフレーム構造の代わりに、前記第２のＲＡＴの１または複数の第２のサブフレーム構造を用いて、前記第１のＲＡＴのフレームを送信するための命令群
を記録したコンピュータ読取可能な記録媒体。
【請求項１４】
前記第１のＲＡＴは、ロング・ターム・イボリューション（ＬＴＥ）である請求項１３に記載のコンピュータ読取可能な記録媒体。
【請求項１５】
前記第２のＲＡＴは、ＩＥＥＥ  ８０２．１６ｍである請求項１４に記載のコンピュータ読取可能な記録媒体。
【請求項１６】
前記ブランク・サブフレーム構造は、１０ミリ秒の周期を有し、３つの連続した１ミリ秒のブランク・サブフレームを備え、前記第２のサブフレーム構造は、４つのＩＥＥＥ  ８０２．１６ｍフル・サブフレームと、ＩＥＥＥ  ８０２．１６ｍショート・サブフレームとを備える請求項１５に記載のコンピュータ読取可能な記録媒体。
【請求項１７】
前記ブランク・サブフレーム構造は、４０ミリ秒の周期を有し、前記第２のサブフレーム構造は、前記フレーム内にランダムに位置する１ミリ秒のブランク・サブフレームと置き換わる請求項１５に記載のコンピュータ読取可能な記録媒体。
【請求項１８】
前記ブランク・サブフレーム構造は、５ミリ秒毎に、２つの連続した１ミリ秒のブランク・サブフレームを備え、前記第２のサブフレーム構造は、３つのＩＥＥＥ  ８０２．１６ｍサブフレームを備える請求項１５に記載のコンピュータ読取可能な記録媒体。
【請求項１９】
前記３つのＩＥＥＥ  ８０２．１６ｍサブフレームは、２つのダウンリンク（ＤＬ）サブフレームと１つのアップリンク（ＵＬ）サブフレームとを備える請求項１８に記載のコンピュータ読取可能な記録媒体。
【請求項２０】
前記ブランク・サブフレーム構造は、制御シンボルを伴うマルチメディア・ブロードキャスト単一周波数ネットワーク（ＭＢＳＦＮ）サブフレームを備える請求項１５に記載のコンピュータ読取可能な記録媒体。
【請求項２１】
前記ブランク・サブフレームは、３つの連続するＭＢＳＦＮサブフレームを備え、各ＭＢＳＦＮサブフレームは、約０．８３ミリ秒のギャップを有し、前記第２のサブフレーム構造は、３つのＩＥＥＥ  ８０２．１６ｍサブフレームを備える請求項２０に記載のコンピュータ読取可能な記録媒体。
【請求項２２】
前記ブランク・サブフレーム構造は、５ミリ秒毎に２つの連続するＭＢＳＦＮサブフレームを備え、各ＭＢＳＦＮサブフレームは、約０．８３ミリ秒のギャップを有し、前記第２のサブフレーム構造は、２つのＩＥＥＥ  ８０２．１６ｍサブフレームを備える請求項２０に記載のコンピュータ読取可能な記録媒体。
【請求項２３】
前記第２のＲＡＴは、ＩＥＥＥ  ８０２．１６ｅにしたがうワールドワイド・インタオペラビリティ・フォー・マイクロウェーブ・アクセス（ＷｉＭＡＸ）である請求項１４に記載のコンピュータ読取可能な記録媒体。
【請求項２４】
前記ブランク・サブフレーム構造は、５ミリ秒毎に２つの連続する１ミリ秒のブランク・サブフレームを備え、前記第２のサブフレーム構造は、１２の直交周波数分割多重化（ＯＦＤＭ）ダウンリンク（ＤＬ）シンボルおよび６つのＯＦＤＭアップリンク（ＵＬ）シンボルを備える請求項２３に記載のコンピュータ読取可能な記録媒体。
【請求項２５】
無線通信のための装置であって、
第１のラジオ・アクセス技術（ＲＡＴ）のフレームにおける１または複数のブランク・サブフレーム構造を決定する手段と、
前記１または複数のブランク・サブフレーム構造のタイミングを繰り返すように、第２のＲＡＴのフレームにおける１または複数の第２のサブフレーム構造を生成する手段と
を備え、前記生成する手段は、前記１または複数の第２のサブフレーム構造を、前記第２のＲＡＴのフレームのうちの他のサブフレーム構造から分離することによって実行され、
前記装置はさらに、
前記１または複数の第２のサブフレーム構造が、前記第２のＲＡＴのフレームにおける他のサブフレーム構造とは異なるフレームにおいて不連続的に送信されるように、前記第１のＲＡＴの１または複数のブランク・サブフレーム構造の代わりに、前記第２のＲＡＴの１または複数の第２のサブフレーム構造を用いて、前記第１のＲＡＴのフレームを送信する手段
を備える装置。
【請求項２６】
前記第１のＲＡＴは、ロング・ターム・イボリューション（ＬＴＥ）である請求項２５に記載の装置。
【請求項２７】
前記第２のＲＡＴは、ＩＥＥＥ  ８０２．１６ｍである請求項２６に記載の装置。
【請求項２８】
前記ブランク・サブフレーム構造は、１０ミリ秒の周期を有し、３つの連続した１ミリ秒のブランク・サブフレームを備え、前記第２のサブフレーム構造は、４つのＩＥＥＥ  ８０２．１６ｍフル・サブフレームと、ＩＥＥＥ  ８０２．１６ｍショート・サブフレームとを備える請求項２７に記載の装置。
【請求項２９】
前記ブランク・サブフレーム構造は、４０ミリ秒の周期を有し、前記第２のサブフレーム構造は、前記フレーム内にランダムに位置する１ミリ秒のブランク・サブフレームと置き換わる請求項２７に記載の装置。
【請求項３０】
前記ブランク・サブフレーム構造は、５ミリ秒毎に、２つの連続した１ミリ秒のブランク・サブフレームを備え、前記第２のサブフレーム構造は、３つのＩＥＥＥ  ８０２．１６ｍサブフレームを備える請求項２７に記載の装置。
【請求項３１】
前記３つのＩＥＥＥ  ８０２．１６ｍサブフレームは、２つのダウンリンク（ＤＬ）サブフレームと１つのアップリンク（ＵＬ）サブフレームとを備える請求項３０に記載の装置。
【請求項３２】
前記ブランク・サブフレーム構造は、制御シンボルを伴うマルチメディア・ブロードキャスト単一周波数ネットワーク（ＭＢＳＦＮ）サブフレームを備える請求項２７に記載の装置。
【請求項３３】
前記ブランク・サブフレームは、３つの連続するＭＢＳＦＮサブフレームを備え、各ＭＢＳＦＮサブフレームは、約０．８３ミリ秒のギャップを有し、前記第２のサブフレーム構造は、３つのＩＥＥＥ  ８０２．１６ｍサブフレームを備える請求項３２に記載の装置。
【請求項３４】
前記ブランク・サブフレーム構造は、５ミリ秒毎に２つの連続するＭＢＳＦＮサブフレームを備え、各ＭＢＳＦＮサブフレームは、約０．８３ミリ秒のギャップを有し、前記第２のサブフレーム構造は、２つのＩＥＥＥ  ８０２．１６ｍサブフレームを備える請求項３２に記載の装置。
【請求項３５】
前記第２のＲＡＴは、ＩＥＥＥ  ８０２．１６ｅにしたがうワールドワイド・インタオペラビリティ・フォー・マイクロウェーブ・アクセス（ＷｉＭＡＸ）である請求項２６に記載の装置。
【請求項３６】
前記ブランク・サブフレーム構造は、５ミリ秒毎に２つの連続する１ミリ秒のブランク・サブフレームを備え、前記第２のサブフレーム構造は、１２の直交周波数分割多重化（ＯＦＤＭ）ダウンリンク（ＤＬ）シンボルおよび６つのＯＦＤＭアップリンク（ＵＬ）シンボルを備える請求項３５に記載の装置。
【請求項３７】
無線通信のための装置であって、
第１のラジオ・アクセス技術（ＲＡＴ）のフレームにおける１または複数のブランク・サブフレーム構造を決定するためのロジックと、
前記１または複数のブランク・サブフレーム構造のタイミングを繰り返すように、第２のＲＡＴのフレームにおける１または複数の第２のサブフレーム構造を生成するためのロジックと
を備え、前記生成ためのロジックは、前記１または複数の第２のサブフレーム構造を、前記第２のＲＡＴのフレームのうちの他のサブフレーム構造から分離することによって実行され、
前記装置はさらに、
前記１または複数の第２のサブフレーム構造が、前記第２のＲＡＴのフレームにおける他のサブフレーム構造とは異なるフレームにおいて不連続的に送信されるように、前記第１のＲＡＴの１または複数のブランク・サブフレーム構造の代わりに、前記第２のＲＡＴの１または複数の第２のサブフレーム構造を用いて、前記第１のＲＡＴのフレームを送信するためのロジック
を備える装置。
【請求項３８】
前記第１のＲＡＴは、ロング・ターム・イボリューション（ＬＴＥ）である請求項３７に記載の装置。
【請求項３９】
前記第２のＲＡＴは、ＩＥＥＥ  ８０２．１６ｍである請求項３８に記載の装置。
【請求項４０】
前記ブランク・サブフレーム構造は、１０ミリ秒の周期を有し、３つの連続した１ミリ秒のブランク・サブフレームを備え、前記第２のサブフレーム構造は、４つのＩＥＥＥ  ８０２．１６ｍフル・サブフレームと、ＩＥＥＥ  ８０２．１６ｍショート・サブフレームとを備える請求項３９に記載の装置。
【請求項４１】
前記ブランク・サブフレーム構造は、４０ミリ秒の周期を有し、前記第２のサブフレーム構造は、前記フレーム内にランダムに位置する１ミリ秒のブランク・サブフレームと置き換わる請求項３９に記載の装置。
【請求項４２】
前記ブランク・サブフレーム構造は、５ミリ秒毎に、２つの連続した１ミリ秒のブランク・サブフレームを備え、前記第２のサブフレーム構造は、３つのＩＥＥＥ  ８０２．１６ｍサブフレームを備える請求項３９に記載の装置。
【請求項４３】
前記３つのＩＥＥＥ  ８０２．１６ｍサブフレームは、２つのダウンリンク（ＤＬ）サブフレームと１つのアップリンク（ＵＬ）サブフレームとを備える請求項４２に記載の装置。
【請求項４４】
前記ブランク・サブフレーム構造は、制御シンボルを伴うマルチメディア・ブロードキャスト単一周波数ネットワーク（ＭＢＳＦＮ）サブフレームを備える請求項３９に記載の装置。
【請求項４５】
前記ブランク・サブフレームは、３つの連続するＭＢＳＦＮサブフレームを備え、各ＭＢＳＦＮサブフレームは、約０．８３ミリ秒のギャップを有し、前記第２のサブフレーム構造は、３つのＩＥＥＥ  ８０２．１６ｍサブフレームを備える請求項４４に記載の装置。
【請求項４６】
前記ブランク・サブフレーム構造は、５ミリ秒毎に２つの連続するＭＢＳＦＮサブフレームを備え、各ＭＢＳＦＮサブフレームは、約０．８３ミリ秒のギャップを有し、前記第２のサブフレーム構造は、２つのＩＥＥＥ  ８０２．１６ｍサブフレームを備える請求項４４に記載の装置。
【請求項４７】
前記第２のＲＡＴは、ＩＥＥＥ  ８０２．１６ｅにしたがうワールドワイド・インタオペラビリティ・フォー・マイクロウェーブ・アクセス（ＷｉＭＡＸ）である請求項３８に記載の装置。
【請求項４８】
前記ブランク・サブフレーム構造は、５ミリ秒毎に２つの連続する１ミリ秒のブランク・サブフレームを備え、前記第２のサブフレーム構造は、１２の直交周波数分割多重化（ＯＦＤＭ）ダウンリンク（ＤＬ）シンボルおよび６つのＯＦＤＭアップリンク（ＵＬ）シンボルを備える請求項４７に記載の装置。
【発明の詳細な説明】
【優先権の主張】
【０００１】
本願は、本願の譲受人に譲渡され、すべての目的のために参照によって完全に組み込まれている２００８年１２月１日出願の“Ｍｅｔｈｏｄｓ  ａｎｄ  Ｓｙｓｔｅｍｓ  ｆｏｒ  ＬＴＥ−ＷＩＭＡＸ  Ｃｏｅｘｉｓｔｅｎｃｅ”と題された米国仮特許出願６１／１１９，０２４号からの優先権の利益を主張する。
【技術分野】
【０００２】
本開示のある実施形態は、一般に、無線通信に関し、さらに詳しくは、異なるラジオ・アクセス技術（ＲＡＴ）の共存を提供する方法に関する。
【発明の概要】
【０００３】
本開示のある実施形態は、一般に、例えばＬＴＥ規格およびＷｉＭＡＸ規格のような異なる規格の共存をサポートする方法および装置に関する。
【０００４】
１つの実施形態は、無線通信方法を提供する。この方法は、一般に、第１のラジオ・アクセス技術（ＲＡＴ）のフレームにおける１または複数のブランク・サブフレーム構造を決定することと、ブランク・サブフレーム構造のタイミングを繰り返すように、第２のＲＡＴの１または複数の第２のサブフレーム構造を生成することと、送信されるフレームにおいて、第１のＲＡＴのブランク・サブフレーム構造の代わりに、第２のＲＡＴの第２のサブフレーム構造を用いて、第１のＲＡＴのフレームを送信することとを含む。
【０００５】
１つの実施形態は無線通信装置を提供する。この装置は一般に、第１のＲＡＴのフレームにおける１または複数のブランク・サブフレーム構造を決定するためのロジックと、ブランク・サブフレーム構造のタイミングを繰り返すように、第２のＲＡＴの１または複数の第２のサブフレーム構造を生成するためのロジックと、第１のＲＡＴのブランク・サブフレーム構造の代わりに、第２のＲＡＴの第２のサブフレーム構造を用いて、第１のＲＡＴのフレームを送信するためのロジックとを含む。
【０００６】
１つの実施形態は、無線通信装置を提供する。この装置は、一般に、第１のＲＡＴのフレームにおける１または複数のブランク・サブフレーム構造を決定する手段と、ブランク・サブフレーム構造のタイミングを繰り返すように、第２のＲＡＴの１または複数の第２のサブフレーム構造を生成する手段と、第１のＲＡＴのブランク・サブフレーム構造の代わりに、第２のＲＡＴの第２のサブフレーム構造を用いて、第１のＲＡＴのフレームを送信するための手段とを含む。
【０００７】
１つの実施形態は、無線通信装置を提供する。この装置は、一般に、第１のＲＡＴのフレームにおける１または複数のブランク・サブフレーム構造を決定し、ブランク・サブフレーム構造のタイミングを繰り返すように、第２のＲＡＴの１または複数の第２のサブフレーム構造を生成し、送信されるフレームにおいて、第１のＲＡＴのブランク・サブフレーム構造の代わりに、第２のＲＡＴの第２のサブフレーム構造を用いて、第１のＲＡＴのフレームを送信するように構成されたプロセッサと、プロセッサに接続されたメモリとを含む。
【０００８】
１つの実施形態は、無線通信のためのコンピュータ・プログラム製品を提供する。このコンピュータ・プログラム製品は、一般に、格納された命令群を有するコンピュータ読取可能媒体を含む。これら命令群は、１または複数のプロセッサによって実行されることが可能である。これら命令群は、一般に、第１のＲＡＴのフレームにおける１または複数のブランク・サブフレーム構造を決定するための命令群と、ブランク・サブフレーム構造のタイミングを繰り返すように、第２のＲＡＴの１または複数の第２のサブフレーム構造を生成するための命令群と、第１のＲＡＴのブランク・サブフレーム構造の代わりに、第２のＲＡＴの第２のサブフレーム構造を用いて、第１のＲＡＴのフレームを送信するための命令群とを含む。
【図面の簡単な説明】
【０００９】
本開示の上述した特徴がより詳細に理解されるように、上記に要約されたより具体的な記載が、そのいくつかが添付図面に例示された実施形態に対する参照によってなされている。しかし、添付図面は、本開示のある種の典型的な実施形態しか示しておらず、これら説明は、他の同等に効果的な実施形態をも可能にすることができ、本開示の範囲を限定するものとは考えられないことに留意されたい。
【図１】図１は、本開示のある種の実施形態による、無線通信システムを例示する。
【図２】図２は、本開示のある種の実施形態による、無線デバイス内で利用できるさまざまな構成要素を例示する。
【図３】図３は、本開示のある実施形態にしたがって、直交周波数分割多重化および直交周波数分割多元接続（ＯＦＤＭ／ＯＦＤＭＡ）技術および／または単一キャリア周波数分割多元接続（ＳＣ−ＦＤＭＡ）技術を利用する無線通信システム内で使用される。
【図４】図４は、本開示のある実施形態にしたがう、ＩＥＥＥ  ８０２．１６ｅ規格にしたがった時分割デュプレクス（ＴＤＤ）のためのＯＦＤＭ／ＯＦＤＭＡフレームを例示する。
【図５】図５は、本開示のある実施形態にしたがう、ＩＥＥＥ  ８０２．１６ｍ規格にしたがったＯＦＤＭ／ＯＦＤＭＡスーパ・フレームを例示する。
【図６】図６は、本開示のある実施形態にしたがう、ロング・ターム・イボリューション（ＬＴＥ）規格にしたがったラジオ・フレームを例示する。
【図７】図７は、本開示のある実施形態にしたがう、ＬＴＥ規格にしたがったＬＴＥ−ＴＤＤのためのさまざまなサブフレーム構成を例示する。
【図８】図８は、本開示のある実施形態にしたがって、第１のラジオ・アクセス技術（ＲＡＴ）でフレームを送信するための動作例のフローチャートであり、ここでは、第１のＲＡＴのブランク・サブフレーム構造が、第２のＲＡＴのサブフレーム構造によって置き換えられる。
【図８Ａ】図８Ａは、本開示のある実施形態にしたがって、第２のＲＡＴのサブフレーム構造を含む第１のＲＡＴでフレームを送信するための図８の動作例に対応する手段のブロック図である。
【図９】図９は、本開示のある実施形態にしたがって、ＬＴＥ周波数分割デュプレクス（ＦＤＤ）ブランク・サブフレームを、ＩＥＥＥ  ８０２．１６ｍサブフレームで置き換えることを例示する。
【図１０】図１０は、本開示のある実施形態にしたがって、ＬＴＥ周波数分割デュプレクス（ＦＤＤ）マルチメディア・ブロードキャスト単一周波数ネットワーク（ＭＢＳＦＮ）ブランク・サブフレームを、ＩＥＥＥ  ８０２．１６ｍサブフレームで置き換えることを例示する。
【図１１】図１１は、本開示のある実施形態にしたがって、ＬＴＥ時分割デュプレクス（ＴＤＤ）ブランク・サブフレームを、ＩＥＥＥ  ８０２．１６ｍサブフレームで置き換えることを例示する。
【図１２】図１２は、本開示のある実施形態にしたがって、ＬＴＥ−ＴＤＤ  ＭＢＳＦＮブランク・サブフレームをＩＥＥＥ  ８０２．１６ｍサブフレームで置き換えることを例示する。
【図１３】図１３は、本開示のある実施形態にしたがって、ＬＴＥ−ＴＤＤブランク・サブフレームをＩＥＥＥ  ８０２．１６ｅシンボルで置き換えることを例示する。
【発明を実施するための形態】
【００１０】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および、ワールドワイド・インタオペラビリティ・フォー・マイクロウェーブ・アクセス（ＷｉＭＡＸ）規格によって指定された直交周波数分割多元接続（ＯＦＤＭＡ）システムを含む。
【００１１】
一般に、無線多元接続通信システムは、複数のモバイル・デバイスのための通信を同時にサポートすることができる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力、複数入力単一出力、あるいは、複数入力複数出力（ＭＩＭＯ）システムによって確立されうる。
【００１２】
本開示のある実施形態は、例えば、ＩＥＥＥ  ８０２．１６規格のうちの１つ、および、ロング・ターム・イボリューション（ＬＴＥ）規格のような２つの異なるラジオ・アクセス技術（ＲＡＴ）の共存をサポートするための技術および装置を提供する。この共存を達成するために、マルチ・モード基地局（ＢＳ）が、第１のＲＡＴのフレームにおける送信ギャップを、第２のＲＡＴのシンボルまたはサブフレームで置き換える。このようにして、単一のＢＳが、２つの異なるＲＡＴをサポートし、同時に通信することができる。
【００１３】
（典型的な無線通信システム）  
本明細書に記載された技術は、直交多重化スキームに基づく通信システムを含むさまざまなブロードバンド無線通信システムのために使用される。このような通信システムの例は、直交周波数分割多元接続（ＯＦＤＭＡ）システム、単一キャリア周波数分割多元接続（ＳＣ−ＦＤＭＡ）システム等を含んでいる。ＯＦＤＭＡシステムは、直交周波数分割多重化（ＯＦＤＭ）を利用する。これは、システム帯域幅全体を、複数の直交サブ・キャリアへ分割する変調技術である。これらサブキャリアはまた、トーン、ビン等とも称されうる。ＯＦＤＭでは、おのおののサブキャリアは、データと独立して変調される。ＳＣ−ＦＤＭＡシステムは、システム帯域幅にわたって分散されたサブキャリアで送信するインタリーブＦＤＭＡ（ＩＦＤＭＡ）、隣接サブキャリアのブロックで送信するローカライズドＦＤＭＡ（ＬＦＤＭＡ）、あるいは、隣接するサブキャリアの複数のブロックで送信するエンハンストＦＤＭＡ（ＥＦＤＭＡ）を利用する。一般に、変調シンボルは、ＯＦＤＭでは周波数領域で、ＳＣ−ＦＤＭＡでは時間領域で送信される。
【００１４】
ＷｉＭＡＸは、直交多重化スキームに基づいた通信システムの１つの例である。上述したように、今日、ＷｉＭＡＸには２つの主要なアプリケーション、すなわち、固定ＷｉＭＡＸとモバイルＷｉＭＡＸとがある。固定ＷｉＭＡＸアプリケーションは、ポイント・トゥ・マルチポイントであり、例えば住宅および会社へのブロードバンド接続を可能にする。モバイルＷｉＭＡＸは、ＯＦＤＭおよびＯＦＤＭＡに基づき、ブロードバンド速度でセルラ・ネットワークの完全なモビリティを提供する。
【００１５】
ＩＥＥＥ  ８０２．１６は、固定式およびモバイルのブロードバンド無線アクセス（ＢＷＡ）システム用のエア・インタフェースを定義するための新生の規格体系である。ＩＥＥＥ  ８０２．１６は、固定ＢＷＡシステムのために２００４年５月にＩＥＥＥ  ８０２．１６ｄ−２００４を承認し、モバイルＢＷＡシステムのために２００５年１０月にＩＥＥＥ  ８０２．１６ｅ−２００５を公表した。これら２つの規格は、４つの異なる物理レイヤ（ＰＨＹ）と１つの媒体アクセス制御（ＭＡＣ）レイヤを定義した。４つの物理レイヤのうちのＯＦＤＭ物理レイヤおよびＯＦＤＭＡ物理レイヤは、それぞれ固定ＢＷＡ領域およびモバイルＢＷＡ領域で最も人気がある。
【００１６】
ＩＥＥＥ機構はまた、ＩＥＥＥ  ８０２．１６ｍ規格のドラフトをリリースした。これは、最大で毎秒１ギガビット（Ｇｂｐｓ）の無線速度を提供することを約束している。このような速度は、複数入力複数出力（ＭＩＭＯ）技術に基づく。技術的に、ＩＥＥＥ  ８０２．１６ｍ規格は、ＷｉＭＡＸ規格の一部ではない。しかしながら、２つの規格は、互換性を持つだろう。さらに、ＩＥＥＥ  ８０２．１６ｍ規格は、将来の無線ネットワークと４Ｇ互換性を持つであろうと予想される。
【００１７】
ロング・ターム・イボリューション（ＬＴＥ）は、４Ｇネットワークのために設計された別の新たな規格である。第３世代パートナシップ計画（３ＧＰＰ）と命名された機構からの文書に記載されているように、ＬＴＥは、将来の技術発展に対処するために、ユニバーサル・モバイル・テレコミュニケーション・システム（ＵＭＴＳ）移動電話規格を改善することが意図されている。ＬＴＥ規格のリリース８は、エア・インタフェースを加える。これは、ダウンリンクにおいてはＯＦＤＭＡに基づき、アップリンクにおいてはＳＣ−ＦＤＭＡに基づき、ＭＩＭＯを効率的にサポートする完全に新しいシステムである。
【００１８】
ＭＩＭＯシステムはデータ送信のために、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【００１９】
ＭＩＭＯシステムは、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【００２０】
図１に、本開示の実施形態を使用できる無線通信システム１００の例を示す。この無線通信システム１００は、ブロードバンド無線通信システムとなりうる。無線通信システム１００は、それぞれが基地局１０４によってサービスされる複数のセル１０２に通信を提供することができる。基地局１０４は、ユーザ端末１０６と通信する固定局となりうる。基地局１０４は、代わりに、アクセス・ポイント、ノードＢ、またはその他いくつかの用語で称されうる。
【００２１】
図１は、システム１００全体に散在するさまざまなユーザ端末１０６を示す。ユーザ端末１０６は、固定式（すなわち、据置式）または移動式でありうる。ユーザ端末１０６を、代わりに、遠隔局、アクセス端末、端末、加入者ユニット、移動局、局、ユーザ機器等と称することができる。ユーザ端末１０６は、セルラ電話、携帯情報端末（ＰＤＡ）、ハンドヘルド・デバイス、無線モデム、ラップトップ・コンピュータ、パーソナル・コンピュータ等のような無線デバイスでありうる。
【００２２】
さまざまなアルゴリズムおよび方法を、無線通信システム１００内における基地局１０４とユーザ端末１０６との間の伝送に使用することができる。例えば、信号を、ＯＦＤＭ／ＯＦＤＭＡ技法に従って基地局１０４とユーザ端末１０６との間で送信し、受信することができる。この場合、無線通信システム１００を、ＯＦＤＭ／ＯＦＤＭＡシステムと称することができる。
【００２３】
基地局１０４からユーザ端末１０６への伝送を容易にする通信リンクは、ダウンリンク１０８と称され、ユーザ端末１０６から基地局１０４への伝送を容易にする通信リンクを、アップリンク１１０と称することができる。あるいは、ダウンリンク１０８を、順方向リンクまたは順方向チャネルと称したり、アップリンク１１０を、逆方向リンクまたは逆方向チャネルと称する場合がある。
【００２４】
セル１０２は、複数のセクタ１１２に分割されうる。セクタ１１２は、セル１０２内の物理有効通信範囲領域である。無線通信システム１００内の基地局１０４は、セル１０２の特定のセクタ１１２内の電力の流れを集中させるアンテナを利用することができる。そのようなアンテナは、指向性アンテナと称されうる。
【００２５】
図２は、無線通信システム１００内に適用されうる無線デバイス２０２で利用されるさまざまな構成要素を図示する。無線デバイス２０２は、本明細書で説明されるさまざまな方法を実施するために構成され得るデバイスの例である。無線デバイス２０２は、基地局１０４またはユーザ端末１０６でありうる。
【００２６】
無線デバイス２０２は、無線デバイス２０２の動作を制御するプロセッサ２０４を含みうる。このプロセッサ２０４は、中央制御装置（ＣＰＵ）とも称されうる。読取専用メモリ（ＲＯＭ）とランダム・アクセス・メモリ（ＲＡＭ）との両方を含むことができるメモリ２０６は、プロセッサ２０４に命令およびデータを提供する。メモリ２０６の一部は、不揮発性ランダム・アクセス・メモリ（ＮＶＲＡＭ）を含むこともできる。プロセッサ２０４は、通常、メモリ２０６に格納されたプログラム命令に基づいて、ロジック演算および算術演算を実行する。本明細書で説明される方法を実施するために、メモリ２０６内の命令を実行可能とすることができる。
【００２７】
無線デバイス２０２は、無線デバイス２０２と遠隔位置との間でのデータの送信および受信を可能にする送信機２１０および受信機２１２を含むことができるハウジング２０８をも含みうる。送信機２１０および受信機２１２を、トランシーバ２１４に組み合わせることができる。アンテナ２１６をハウジング２０８に取り付け、トランシーバ２１４に電気的に接続することができる。無線デバイス２０２は、（図示されていない）複数の送信機、複数の受信機、複数のトランシーバ、および／または複数のアンテナを含むこともできる。
【００２８】
無線デバイス２０２は、トランシーバ２１４によって受信された信号を検出し、そのレベルを定量化する目的で使用される信号検出器２１８をも含むことができる。信号検出器２１８は、合計エネルギ、シンボル毎のサブキャリア毎のエネルギ、電力スペクトル密度、およびその他の信号のような信号を検出しうる。無線デバイス２０２は、信号を処理する際に使用されるデジタル信号プロセッサ（ＤＳＰ）２２０をも含むことができる。
【００２９】
無線デバイス２０２のさまざまな構成要素を、データ・バスに加え、電力バス、制御信号バス、およびステータス信号バスを含むことができるバス・システム２２２によってともに結合することができる。
【００３０】
図３に、ＯＦＤＭ／ＯＦＤＭＡを利用する無線通信システム１００内で使用できる送信機３０２の例を示す。送信機３０２の諸部分は、無線デバイス２０２の送信機２１０内に実装されうる。送信機３０２は、ダウンリンク１０８でのユーザ端末１０６へのデータ３０６の伝送のために、基地局１０４内に実装されうる。送信機３０２は、アップリンク１１０での基地局１０４へのデータ３０６の伝送のために、ユーザ端末１０６内に実装されうる。
【００３１】
送信されるデータ３０６は、シリアル・パラレル（Ｓ／Ｐ）コンバータ３０８に入力として提供されるものとして図示されている。Ｓ／Ｐコンバータ３０８は、この送信データをＮ個の並列データ・ストリーム３１０に分割することができる。
【００３２】
Ｎ個の並列データ・ストリーム３１０は次に、マッパ３１２に入力として供給されうる。マッパ３１２は、Ｎ個の並列データ・ストリーム３１０をＮ個のコンステレーション・ポイントにマッピングすることができる。このマッピングは、バイナリ・フェーズ・シフト・キーイング（ＢＰＳＫ）、直交フェーズ・シフト・キーイング（ＱＰＳＫ）、８フェーズ・シフト・キーイング（８ＰＳＫ）、直交振幅変調（ＱＡＭ）等のようなある変調コンステレーションを使用して行うことができる。したがって、マッパ３１２は、Ｎ個の並列シンボル・ストリーム３１６を出力することができ、各シンボル・ストリーム３１６は、逆高速フーリエ変換（ＩＦＦＴ）３２０のＮ個の直交サブキャリアのうちの１つに対応する。これらＮ個の並列シンボル・ストリーム３１６は、周波数領域で表され、ＩＦＦＴ構成要素３２０によってＮ個の並列時間領域サンプル・ストリーム３１８に変換され得る。
【００３３】
命名法に関する短い注釈を以下に示す。周波数領域のＮ個の並列変調は、周波数領域のＮ個の変調シンボルと等しく、これは、周波数領域のＮ個のマッピングおよびＮポイントＩＦＦＴと等しく、これは、時間領域の１つの（有用な）ＯＦＤＭシンボルと等しく、これは、時間領域のＮ個のサンプルと等しい。時間領域の１つのＯＦＤＭシンボルＮｓは、Ｎｃｐ（ＯＦＤＭシンボル毎のガード・サンプルの個数）＋Ｎ（ＯＦＤＭシンボルあたりの有用なサンプルの個数）と等しい。
【００３４】
Ｎ個の並列時間領域サンプル・ストリーム３１８は、パラレル・シリアル（Ｐ／Ｓ）コンバータ３２４によってＯＦＤＭ／ＯＦＤＭＡシンボル・ストリーム３２２に変換されうる。ガード挿入構成要素３２６は、ＯＦＤＭ／ＯＦＤＭＡシンボル・ストリーム３２２内の連続するＯＦＤＭ／ＯＦＤＭＡシンボルの間にガード・インタバルを挿入することができる。次に、ガード挿入構成要素３２６の出力が、ラジオ周波数（ＲＦ）フロント・エンド３２８によって所望の送信周波数帯域にアップコンバートされうる。そして、その結果得られた信号３３２を、アンテナ３３０が送信することができる。
【００３５】
図３には、ＯＦＤＭ／ＯＦＤＭＡを利用する無線デバイス２０２内で使用される受信機３０４の例も示されている。受信機３０４の諸部分は、無線デバイス２０２の受信機２１２内に実装されうる。受信機３０４は、データ３０６をダウンリンク１０８で基地局１０４から受信するためにユーザ端末１０６内に実装されうる。受信機３０４は、データ３０６をアップリンク１１０でユーザ端末１０６から受信するために基地局１０４内に実装されうる。
【００３６】
送信された信号３３２は、無線チャネル３３４を介して移動することが図示されている。信号３３２’がアンテナ３３０’によって受信された場合、受信された信号３３２’は、ＲＦフロント・エンド３２８’によってベースバンド信号にダウンコンバートされうる。次に、ガード除去構成要素３２６’が、ガード挿入構成要素３２６によってＯＦＤＭ／ＯＦＤＭＡシンボルの間に挿入されたガード・インタバルを除去することができる。
【００３７】
ガード除去構成要素３２６’の出力は、Ｓ／Ｐコンバータ３２４’に提供されうる。Ｓ／Ｐコンバータ３２４’は、ＯＦＤＭ／ＯＦＤＭＡシンボル・ストリーム３２２’を、それぞれがＮ個の直交サブキャリアのうちの１つに対応するＮ個の並列時間領域シンボル・ストリーム３１８’に分割することができる。高速フーリエ変換（ＦＦＴ）構成要素３２０’は、Ｎ個の並列時間領域シンボル・ストリーム３１８’を周波数領域に変換し、Ｎ個の並列周波数領域シンボル・ストリーム３１６’を出力することができる。
【００３８】
デマッパ３１２’は、マッパ３１２によって実行されたシンボル・マッピング動作の逆を実行し、これによってＮ個の並列データ・ストリーム３１０’を出力することができる。Ｐ／Ｓコンバータ３０８’は、Ｎ個の並列データ・ストリーム３１０’を単一のデータ・ストリーム３０６’に結合することができる。理想的には、このデータ・ストリーム３０６’は、送信機３０２に入力として提供されたデータ３０６に対応する。要素３０８’、３１０’、３１２’３１６’、３２０’、３１８’および３２４’はすべて、ベースバンド・プロセッサ３４０’で発見されうる。
【００３９】
（典型的なＯＦＤＭ／ＯＦＤＭＡフレーム）  
図４を参照すると、例えば、ＩＥＥＥ  ８０２．１６ｅ規格にしたがう、時分割デュプレクス（ＴＤＤ）実施のためのＯＦＤＭ／ＯＦＤＭＡフレーム４００が、限定しない典型的な例として図示されている。例えばフル・デュプレクスおよびハーフ・デュプレクスの周波数分割デュプレクス（ＦＤＤ）のようなＯＦＤＭ／ＯＦＤＭＡフレームの他の実施も使用されうる。この場合、フレームは、ダウンリンク（ＤＬ）メッセージとアップリンク（ＵＬ）メッセージとの両方が、異なるキャリアによって同時に送信されるという点を除いて同じである。ＴＤＤ実施では、おのおののフレームは、ＤＬ送信とＵＬ送信との衝突を回避するために、小さなガード・インタバル４０６によって分離される、さらに詳しくは、送信／受信ギャップおよび受信／送信ギャップ（ＴＴＧおよびＲＴＧ）によって分離される、ＤＬサブフレーム４０２とＵＬサブフレーム４０４とに分割される。ＤＬ対ＵＬのサブフレーム比は、異なるトラフィック・プロファイルをサポートするために、３：１から１：１へ変動しうる。
【００４０】
ＯＦＤＭ／ＯＦＤＭＡフレーム４００内には、さまざまな制御情報が含まれうる。例えば、フレーム４００の最初のＯＦＤＭ／ＯＦＤＭＡシンボルは、同期のために使用されるいくつかのパイロット信号（パイロット）を含みうるプリアンブル４０８でありうる。プリアンブル４０８内の固定されたパイロット・シーケンスによって、受信機３０４は、周波数誤りおよび位相誤りを推定し、送信機３０２に同期できるようになる。さらに、無線チャネルの推定および等値化のために、プリアンブル４０８内の固定パイロット・シーケンスが利用されうる。プリアンブル４０８は、ＢＰＳＫ変調されたキャリアを含む。これは、一般には、１つのＯＦＤＭシンボルの長さである。プリアンブル４０８のキャリアは、電力が高められており、ＷｉＭＡＸ信号におけるデータ部の周波数領域における電力レベルよりも一般に数デシベル（ｄＢ）（例えば、９ｄＢ）高い。使用されるプリアンブル・キャリアの番号は、ゾーンの３つのセグメントのうちのいずれが使用されているかを示すことができる。例えば、キャリア０、３、６、・・・は、セグメント０が使用されるべきであることを示し、キャリア１、４、７、・・・は、セグメント１が使用されるべきであることを示し、キャリア２、５、８、・・・は、セグメント０が使用されるべきであることを示す。
【００４１】
フレーム制御ヘッダ（ＦＣＨ）４１０が、プリアンブル４０８に続く。ＦＣＨ４１０は、例えば利用可能なサブチャネル、変調および符号化スキーム、ならびに、現在のＯＦＤＭ／ＯＦＤＭＡフレームのＭＡＰメッセージ長さのようなフレーム設定情報を提供する。例えば、ダウンリンク・フレーム・プレフィクス（ＤＬＦＰ）４１２のように、フレーム設定情報を概説するデータ構成が、ＦＣＨ４１０にマップされる。モバイルＷｉＭＡＸのためのＤＬＦＰ  ４１２は、使用されるサブチャネル（ＳＣＨ）ビットマップ、反復符号化インジケーション、符号化インジケーション、およびＭＡＰメッセージ長さに関する情報を備えうる。
【００４２】
ＦＣＨ４１０、ＤＬ−ＭＡＰ４１４、およびＵＬ−ＭＡＰ４１６にしたがうことによって、ＤＬサブフレーム４０２およびＵＬサブフレーム４０４のデータ・バースト割当およびその他の制御情報を指定することができる。ＯＦＤＭＡの場合、複数のユーザに、フレーム内にデータ領域が割り当てられる。そして、これらの割当は、ＤＬ−ＭＡＰメッセージ４１４およびＵＬ−ＭＡＰメッセージ４１６において指定される。これらＭＡＰメッセージは、特定のリンクにおいて使用される変調および符号化スキームを規定する、おのおのユーザのバースト・プロファイルを含む。ＭＡＰメッセージは、すべてのユーザに届く必要のある重要な情報を含んでいるので、ＤＬ−ＭＡＰメッセージ４１４およびＵＬ−ＭＡＰメッセージ４１６は、しばしば、１／２符号化および反復符号化を用いたＢＰＳＫまたはＱＰＳＫのような、非常に信頼性の高いリンクによって送信される。ＯＦＤＭ／ＯＦＤＭＡフレームのＤＬサブフレーム４０２は、通信されているダウンリンク・データを含む、さまざまな長さからなるＤＬバーストを含みうる。したがって、ＤＬ−ＭＡＰ４１４は、ダウンリンク・ゾーンに含まれるバーストの位置と、ダウンリンク・バーストの数のみならず、時間（すなわち、シンボル）方向および周波数（すなわち、サブチャネル）方向の両方におけるオフセットおよび長さを記述することができる。
【００４３】
同様に、ＵＬサブフレーム４０４は、通信されているアップリンク・データから構成されるさまざまなビット長さからなるＵＬバーストを含みうる。したがって、ダウンリンク・サブフレーム４０２における最初のバーストとして送信されるＵＬ−ＭＡＰ４１６は、異なるユーザのためのＵＬバーストの位置に関する情報を含みうる。ＵＬサブフレーム４０４は、図４に図示されるような追加の制御情報を含みうる。ＵＬサブフレーム４０４は、ＤＬハイブリッド自動反復要求アクノレッジ（ＨＡＲＱ  ＡＣＫ）をフィード・バックするために移動局（ＭＳ）に割り当てられたＵＬ  ＡＣＫ４１８、および／または、チャネル品質インジケータ・チャネル（ＣＱＩＣＨ）にチャネル状態情報をフィードバックするためにＭＳに割り当てられたＵＬ  ＣＱＩＣＨ４２０を含む。さらに、ＵＬサブフレーム４０４は、ＵＬレンジング・サブチャネル４２２を備えうる。ＵＬレンジング・サブチャネル４２２は、帯域幅要求のみならず、閉ループ時間、周波数、および電力調節を行なうためにＭＳに割り当てられる。要するに、プリアンブル４０８、ＦＣＨ４１０、ＤＬ−ＭＡＰ４１４、およびＵＬ−ＭＡＰ４１６は、受信機３０４が受信信号を正しく復調することを可能にする情報を伝送しうる。
【００４４】
ＯＦＤＭＡの場合、ＤＬおよびＵＬにおける送信のために、異なる「モード」が使用されうる。あるモードが使用される時間領域のエリアは、一般にゾーンと称される。１つのタイプのゾーンは、ＤＬ−ＰＵＳＣ（ｄｏｗｎｌｉｎｋ  ｐａｒｔｉａｌ  ｕｓａｇｅ  ｏｆ  ｓｕｂｃｈａｎｎｅｌｓ）と称され、利用可能なすべてのサブチャネルを使用する訳ではない（すなわち、ＤＬ−ＰＵＳＣゾーンは、サブチャネルの特定のグループしか使用しない）。最大３つのセグメントに割り当てられうる合計６つのサブチャネル・グループが存在しうる。したがって、セグメントは、１から６までのサブチャネル・グループを含みうる（例えば、セグメント０が、最初の２つのサブチャネル・グループを含み、セグメント１が、次の２つのサブチャネル・グループを含み、セグメント２が、最後の２つのサブチャネル・グループを含みうる）。別のタイプのゾーンは、ＤＬ−ＦＵＳＣ（ｄｏｗｎｌｉｎｋ  ｆｕｌｌ  ｕｓａｇｅ  ｏｆ  ｓｕｂｃｈａｎｎｅｌｓ）と呼ばれる。ＤＬ−ＰＵＳＣとは異なり、ＤＬ−ＦＵＳＣは、セグメントを使用しないが、十分な周波数範囲にわたってすべてのバーストを分散させうる。
【００４５】
（典型的なＩＥＥＥ  ８０２．１６ｍスーパ・フレーム）  
図５は、ＩＥＥＥ  ８０２．１６ｍ規格にしたがうスーパ・フレーム５００を例示する。ＩＥＥＥ  ８０２．１６ｍスーパ・フレーム５００は、２０ミリ秒の持続時間を有し、（図５においてＦ０乃至Ｆ３とラベルされた）４つのＯＦＤＭ／ＯＦＤＭＡフレーム５０２を備える。フレーム５０２おのおののは、５ミリ秒の持続時間を有し、上述したＩＥＥＥ  ８０２．１６ｅにしたがうＯＦＤＭ／ＯＦＭＤＡフレーム４００に類似している。
【００４６】
しかしながら、ＩＥＥＥ  ８０２．１６ｅにおけるように、各フレームが、単一のＤＬサブフレーム４０２およびＵＬサブフレーム４０４へ分割されているのとは異なり、ＩＥＥＥ  ８０２．１６ｍフレーム５０２のおのおのは、（図５においてＳＦ０乃至ＳＦ７とラベルされた）８つのサブフレーム５０４へ分割される。サブフレーム５０４は、異なるサブフレーム・タイプ間に切換ポイント５０６を持ち、ＤＬサブフレームおよびＵＬサブフレームへ分割されうる。例えば、図５は、３：５のＤＬ：ＵＬサブフレーム比を持つフレームＦ２を図示しており、フレームＦ２において、３つのＤＬサブフレームの後に、５つのＵＬサブフレームが続く例である。各フレーム５０２内に１または２のＤＬ−ＵＬ切換ポイント５０６が存在しうる。
【００４７】
サブフレーム５０４（例えば、例示するようなＳＦ６）は、シンボル持続時間の１／８に等しいサイクリック・プレフィクス（ＣＰ）５１２を備え、６つのＯＦＤＭシンボル５１０を有するフル・サブフレーム５０８でありうる。したがって、フル・サブフレーム５０８は、０．６１７ミリ秒の持続時間を有する。別のサブフレーム５０４（例えば、例示するようなＳＦ２）は、同じ長さのＣＰ５１２を備え、５つのＯＦＤＭシンボル５１０を有するショート・サブフレーム５１４でありうる。したがって、ショート・サブフレーム５１４は、０．５１４ミリ秒の持続時間を有する。
【００４８】
（典型的なＬＴＥラジオ・フレーム）  
図６は、ロング・ターム・イボリューション（ＬＴＥ）規格にしたがうラジオ・フレーム６００を例示する。１０ミリ秒の持続時間を有するラジオ・フレーム６００は、おのおの５ミリ秒の持続時間を有する２つのハーフ・フレーム６０２へ分割されうる。ラジオ・フレーム６００は、（図６においてサブフレーム０乃至サブフレーム９とラベルされ）おのおの１ミリ秒の持続時間を有する１０のサブフレーム６０４へ分割されうる。サブフレーム６０４はおのおのの、おのおのが０．５ミリ秒の持続時間を有する２つのスロット６０６に分割されうる。ＬＴＥシンボル持続時間は、ＣＰ長さに依存しておおよそ７１マイクロ秒または８３マイクロ秒であり、これによって、スロット６０６は、それぞれ７シンボルまたは６シンボルを備えるようになる。
【００４９】
ＬＴＥ規格では、ロング・フレームが、ブロードキャストされたサブフレームの全体によって構成されるか、あるいは、通常の（ユニキャストされた）サブフレームの全体にわたって、あるいは、通常のサブフレームと、ブロードキャストされたサブフレームとの組み合わせから構成されうる。１または複数のブロードキャスト・タイプのロング・フレームが、ラジオ・フレーム内で生じうる。通常のサブフレームまたはブロードキャストされたサブフレームのうちの何れかから、ショート・フレームも構成されうる。そして、１または複数のブロードキャスト・タイプのショート・フレームが、ラジオ・フレーム内で生じうる。ブロードキャストされたフレームは、ユニキャストされたデータ、および、ユニキャストされていないデータのチャネル推定を改善するために、他のブロードキャストされたデータとグループ化されうる（隣接サブフレームからの共通のパイロットが使用されうる）。および／または、ブロードキャストされたフレームが、時間インタリービングのために、ブロードキャストされていないフレームと間隔を置かれうる。
【００５０】
少なくとも１つの追加のサブフレーム・タイプは、タイプ「ブランク」からなる。ブランク・サブフレームは、中身がないか、あるいは、固定または準ランダムに生成されたペイロードを含みうる。ブランク・サブフレームは、干渉回避、干渉測定のために、あるいは、ラジオ・フレーム内のフレームにデータが存在しない場合に使用されうる。その他のサブフレーム・タイプも定義されうる。
【００５１】
ＬＴＥ−ＴＤＤでは、おのおののサブフレーム６０４は、ＤＬサブフレーム、ＵＬサブフレーム、または、ＤＬ送信およびＵＬ送信間を切り換える切換ポイントを含むサブフレームとして指定されうる。図７は、ＬＴＥ規格にしたがって、ＬＴＥ−ＴＤＤのための（構成０乃至構成６とラベルされた）７つの異なるサブフレーム構成７００を例示する。おのおのの構成について、ＬＴＥ−ＴＤＤラジオ・フレームのおのおののサブフレーム０乃至９についてサブフレーム指定が提供される。ここで“Ｄ”はＤＬフレームを表し、“Ｕ”はＵＬサブフレームを表し、“Ｓ”は切換ポイントを含むサブフレームを表す。各設定は、５ミリ秒または１０ミリ秒かの何れかの切換ポイント周期を有する。
【００５２】
（典型的な２つのラジオ・アクセス技術の共存）  
サポートされた複数のＲＡＴを用いて、特定の無線ネットワーク位置が、各ＲＡＴについて異なるＢＳによってカバーされうる。これは、複数のＲＡＴにしたがって無線サービスを提供するネットワーク・プロバイダにとって高価になりうる。いくつかの場合、デュアル・モードまたはマルチ・モードＢＳは、複数の異なるＲＡＴをサポートするが、これら基地局は、複数のＲＡＴにしたがって通信している場合、いくつかの効率を犠牲にしうる。
【００５３】
図８は、第１のラジオ・アクセス技術（ＲＡＴ）でフレームを送信するための動作８００の例のフローチャートであり、ここでは、第１のＲＡＴのブランク・サブフレーム構造が、第２のＲＡＴのサブフレーム構造によって置き換えられる。いくつかの実施形態の場合、第１のＲＡＴは、ＬＴＥ、すなわちＬＴＥ−ＦＤＤまたはＬＴＥ−ＴＤＤの何れかであり、第２のＲＡＴは、ＩＥＥＥ  ８０２．１６ｅ規格またはＩＥＥＥ  ８０２．１６ｍ規格にしたがいうる。動作８００は、デュアル・モードあるいはマルチ・モードの基地局（ＢＳ）によって実行されうる。
【００５４】
動作８００は、第１のＲＡＴのフレーム内の１または複数のブランク・サブフレーム構造を決定することによって、８１０において始まる。例えば、マルチ・モードＢＳは、どのＬＴＥサブフレームが、データを持たず、第１のＲＡＴの送信におけるギャップを示すブランク・サブフレームになるかを判定する。ブランク・サブフレーム構造は、第１のＲＡＴのフレーム内において、連続しているか、分散しているか、あるいは、これらの組み合わせでありうる。連続するブランク・サブフレーム構造は、ブランク・サブフレーム構造を、第２のＲＡＴのサブフレーム構造と置き換えるための最良のフレキシビリティを提供する。
【００５５】
８２０では、マルチ・モードＢＳが、ブランク・サブフレーム構造のタイミングを繰り返すように、第２のＲＡＴの１または複数の第２のサブフレーム構造を生成しうる。言い換えれば、マルチ・モードＢＳは、これらブランク・サブフレーム構造にしたがって、第１のＲＡＴの送信ギャップのタイミングおよび持続時間を決定しうる。次に、マルチ・モードＢＳは、第２のＲＡＴのいくつの第２のサブフレーム構造が、送信ギャップ内に適合するかを判定し、これにしたがって、これら第２のサブフレーム構造を生成しうる。このような第２のサブフレーム構造の生成の例は、特定のＲＡＴに関して、以下により詳細に記載される。
【００５６】
第２のＲＡＴの第２のサブフレーム構造が８２０において生成されると、マルチ・モードＢＳは、ブランク・サブフレーム構造の代わりに、これら第２のサブフレーム構造を用いて、第１のＲＡＴのフレームを送信しうる。言い換えると、マルチ・モードＢＳは、第１のＲＡＴにおける送信ギャップのために計画され、マルチ・モードＢＳは、これらギャップを、第２のＲＡＴの一部（サブフレームまたはシンボル）で少なくとも部分的に満たすことができる。このように、第１のＲＡＴおよび第２のＲＡＴは、共存し、単一のマルチ・モードＢＳから送信されうる。
【００５７】
（ＬＴＥ−ＦＤＤ規格とＩＥＥＥ  ８０２．１６ｍ規格との典型的な共存）  
ＬＴＥ−ＦＤＤの場合、ラジオ・フレーム６００は、１０個の１ミリ秒のサブフレーム６０４と見なされる。ブランク・サブフレームは、ＬＴＥ  ＤＬにおいて、１０ミリ秒周期または４０ミリ秒周期の何れかで定義される。
【００５８】
１０ミリ秒のブランク・サブフレーム周期の場合、連続する多くのブランク・サブフレームが定義されうる。例えば、図９は、ＬＴＥ−ＦＤＤラジオ・フレーム内の３つの連続する１ミリ秒のブランク・サブフレーム９０４を例示しており、ＬＴＥダウンリンクにおいて３ミリ秒の送信ギャップを与える。したがって、最大３ミリ秒のＩＥＥＥ  ８０２．１６ｍサブフレームが、送信されるフレーム内のＬＴＥブランク・サブフレームと置き換わる。したがって、（おのおのが０．６１７ミリ秒の持続時間を有する）４つのフルＩＥＥＥ  ８０２．１６ｍサブフレーム５０８と、（０．５１４ミリ秒の持続時間を有する）１つのショートＩＥＥＥ  ８０２．１６ｍサブフレーム５１０とが、例示するように、３つのＬＴＥブランク・サブフレーム（４×０．６１７ミリ秒＋０．５１４ミリ秒＝２．９８２ミリ秒＜３ミリ秒）と置き換わる。
【００５９】
しかしながら、フレーム５０２またはスーパ・フレーム５００内の送信ギャップは、ＩＥＥＥ  ８０２．１６ｍ規格では現在定義されていない。ＬＴＥ−ＦＤＤおよびＩＥＥＥ  ８０２．１６ｍの共存のために、送信におけるこのようなギャップ（例えば、ブランク・サブフレーム）は、ＩＥＥＥ  ８０２．１６ｍフレーム５０２のデータを含むサブフレーム５０４が、ブランク・サブフレームによって分離されるように定義される。言い換えれば、データを含むＩＥＥＥ  ８０２．１６ｍサブフレームは、連続している必要はない。このように、フレーム５０２は、時間的に分離しうる。
【００６０】
ＩＥＥＥ  ８０２．１６ｍのＤＬサブフレームは連続するＬＴＥブランク・サブフレーム内にうまく適合するが、０．６１７ミリ秒の倍数の周期を持つシンクロナス・ハイブリッド自動反復要求（ＨＡＲＱ）を有するＩＥＥＥ  ８０２．１６ｍのＵＬは、現在のＬＴＥの８ミリ秒のＵＬのＨＡＲＱタイムラインとぴったりと合わないことがありうる。したがって、ＤＵ／ＵＬ周期ミスマッチによって、あいにく、ＬＴＥ  ＵＬパフォーマンスは悪化する。
【００６１】
４０ミリ秒のブランク・サブフレーム周期の場合、１ミリ秒のＬＴＥ送信ギャップがランダムに生じうる。したがって、ＩＥＥＥ  ８０２．１６ｍのサブフレームは、ランダムなブランク・サブフレームとまったく揃わないことがある。提案されたこのような解決策は、明らかに非効率的である。
【００６２】
３つの連続するブランク・サブフレームを有する図９のＬＴＥ  ＤＬ解決策は、ブランク・サブフレームが、制御データもメッセージ・データを持たない絶対的な送信ギャップであることを仮定しているが、ＬＴＥ規格のリリース８のデフォルトは、マルチメディア・ブロードキャスト単一周波数ネットワーク（ＭＢＳＦＮ）ブランク・サブフレームを伴う。ＭＢＳＦＮブランク・サブフレームでは、図１０に例示されるような制御シグナリングのために、第１の１または２つのＯＦＤＭシンボルが指定されうる。この場合、おのおののＭＢＳＦＮサブフレームに残されたギャップは、ＣＰ長さに依存して、０．８６ミリ秒（１ミリ秒−２×０．７１４３ミリ秒）または０．８３ミリ秒（１ミリ秒−２×０．８３３３ミリ秒）しかない。
【００６３】
したがって、３つの連続するＭＢＳＦＮブランク・サブフレーム１００４が、例示するように、３つの（０．６１７ミリ秒の持続時間を持つ）フルＩＥＥＥ  ８０２．１６ｍサブフレーム５０８によって置き換えられる。ＩＥＥＥ  ８０２．１６ｍサブフレーム５０８のおのおのは、０．８６ミリ秒または０．８３ミリ秒のＬＴＥ送信ギャップ内のどこかに位置されうる。３つのＩＥＥＥ  ８０２．１６ｍサブフレームを含むＬＴＥラジオ・フレームが送信された場合、これらフレームは、置き換えられたブランク・サブフレームのおのおのについて、同じ時点において、ＬＴＥ  ＭＢＳＦＮ制御信号をも含みうる。
【００６４】
ＭＢＳＦＮ制御シンボルが、ＬＴＥブランク・サブフレーム内の（一番最初または最後を除く）どこかに位置する場合、ＭＢＳＦＮブランク・サブフレームに置き換わる可能なＩＥＥＥ  ８０２．１６ｍの数がさらに限定される。例えば、このような制御シンボルを有する３つの連続したＭＢＳＦＮブランク・サブフレームは、最大２つのフルＩＥＥＥ  ８０２．１６ｍサブフレーム５０８のみによって置き換えられうる。
【００６５】
再びＭＢＳＦＮブランク・サブフレームの場合、０．６１７ミリ秒の倍数の周期を持つシンクロナスＨＡＲＱを有するＩＥＥＥ  ８０２．１６ｍのＵＬは、現在のＬＴＥの８ミリ秒のＵＬのＨＡＲＱタイムラインとぴったりと合わない場合がある。したがって、ＬＴＥ  ＵＬパフォーマンスは、ＤＬ／ＵＬ周期ミスマッチによって、あいにく、悪化しうる。
【００６６】
さらに、４０ミリ秒であるＭＢＳＦＮブランク・サブフレーム周期は、上述したものと同じ問題も最も有しやすく、１ミリ秒のＬＴＥ送信ギャップが、ランダムに生じうる。したがって、ＩＥＥＥ  ８０２．１６ｍのサブフレームは、ランダムなＭＢＳＦＮブランク・サブフレームとまったく揃わないかもしれない。提案されたこのような解決策は、効率を欠きうる。
【００６７】
本開示のある実施形態の場合、ＬＴＥ中継は、ＩＥＥＥ  ８０２．１６ｍバックホールと共存しうる。ブランク／ＭＢＳＦＮサブフレームにおけるＩＥＥＥ  ８０２．１６ｍシステムの基地局として動作する代わりに、ＬＴＥ中継は、ＩＥＥＥ  ８０２．１６ｍシステムの基地局（ＭＳ）として動作しうる。
【００６８】
（ＬＴＥ−ＴＤＤ規格およびＩＥＥＥ  ８０２．１６ｍ規格の典型的な共存）  
ＬＴＥ−ＴＤＤの場合、２つの規格の共存を達成するために、ブランク・サブフレームをＩＥＥＥ  ８０２．１６ｍサブフレームで置き換えることは、さらに、ＤＬ／ＵＬ分割が以前に存在していたことによって、さらに複雑化されうる。このような分割は、図７に関連して上述されており、ＬＴＥ規格では、ＬＴＥ−ＴＤＤのためのＤＬ／ＵＬ分割の別の構成が示される。これら構成のうちのすべてにおいて、サブフレーム０、１、５、６において、ＤＬについて、ＬＴＥ−ＴＤＤが割り当てられる。
【００６９】
図１１は、例として、構成１において、ＬＴＥ−ＴＤＤブランク・サブフレームを、ＩＥＥＥ  ８０２．１６ｍサブフレームで置き換えることを例示する。構成１の場合、５ミリ秒のハーフ・フレームのおのおのにおいて、２ミリ秒の持続時間を有する２つのブランク・サブフレーム１１０４が存在しうる。例えば、図１１に図示するように、ＬＴＥ−ＴＤＤサブフレーム３、４（ＳＦ３およびＳＦ４）は、ブランク・サブフレーム１１０４である一方、サブフレーム０（ＳＦ０）は、ＤＬサブフレームであり、サブフレーム１（ＳＦ１）は、切換ポイントであり、サブフレーム２（ＳＦ２）は、最初のハーフ・フレーム６０２におけるＵＬサブフレームでありうる。第２のハーフ・フレーム６０２と同様に、ＬＴＥ−ＴＤＤサブフレーム８、９（ＳＦ８およびＳＦ９）は、ブランク・サブフレーム１１０４である一方、サブフレーム５（ＳＦ５）はＤＬサブフレームであり、サブフレーム６（ＳＦ６）は切換ポイントであり、サブフレーム７（ＳＦ７）はＵＬサブフレームでありうる。
【００７０】
２ミリ秒の持続時間を持つ連続する２つのＬＴＥ−ＴＤＤブランク・サブフレーム１１０４は、３つのＩＥＥＥ  ８０２．１６ｍサブフレーム５０４（３×０．６１７ミリ秒＝１．８５１ミリ秒＜２ミリ秒）によって置き換えられうる。いくつかの実施形態の場合、３つのＩＥＥＥ  ８０２．１６ｍサブフレームは、１つのＵＬサブフレームが続く２つのＤＬサブフレームを備えうる。他の実施形態の場合、ＩＥＥＥ  ８０２．１６ｍのサブフレーム５０４の指定は異なりうる。
【００７１】
しかしながら、ＩＥＥＥ  ８０２．１６ｍフレーム５０２あるいはスーパ・フレーム５００内の送信ギャップは、規格には現在定義されていない。ＬＴＥ−ＴＤＤおよびＩＥＥＥ  ８０２．１６ｍの共存のために、送信におけるこのようなギャップ（例えば、ブランク・サブフレーム）は、ＩＥＥＥ  ８０２．１６ｍフレーム５０２のデータを含むサブフレーム５０４が、ブランク・サブフレームによって分離されるように定義される。このようにして、フレーム５０２は、時間的に分離されうる。
【００７２】
ＬＴＥ規格がＭＢＳＦＮをサポートする場合、構成１におけるＳＦ３、ＳＦ４、ＳＦ８、およびＳＦ９におけるＭＢＳＦＮブランク・サブフレーム１２０４は、上述したように、０．８３ミリ秒または０．８６ミリ秒の送信ギャップを有しうる。図１２は、各ＬＴＥ−ＴＤＤ構成１のハーフ・フレーム６０２において、２つのＬＴＥ−ＴＤＤ  ＭＢＳＦＮブランク・サブフレーム１２０４を、２つのＩＥＥＥ  ８０２．１６ｍサブフレーム５０４で置き換えることを例示する。例えば、２つのＩＥＥＥ  ８０２．１６ｍのサブフレーム５０４は、１つのＵＬサブフレームが続く１つのＤＬサブフレームを備えうる。
【００７３】
本開示のある実施形態の場合、ＩＥＥＥ  ８０２．１６ｍマルチ・キャリアＴＤＤ仕様およびＬＴＥ−ＦＤＤ仕様をサポートするデュアル・モードまたはマルチ・モードの基地局が提供される。本開示のある実施形態については、ＩＥＥＥ  ８０２．１６ｍのＴＤＤは、ＬＴＥ  ＤＬ／ＵＬキャリアのおのおのによって利用されうる。ＬＴＥ  ＤＬおよびＵＬのブランク・サブフレーム構造は異なりうるので、本解決策は、ＨＡＲＱ構造を設定するのに効率的でありうる。
【００７４】
（ＬＴＥ−ＴＤＤ規格およびＩＥＥＥ  ８０２．１６ｅ規格の典型的な共存）  
ＩＥＥＥ  ８０２．１６ｍ規格で可能なサブフレーム・グラニュラリティとは異なり、ＩＥＥＥ  ８０２．１６ｍ規格は、５ミリ秒の周期を持つフレーム構造を指定する。これは、シンボル・レベル・グラニュラリティを用いたＯＦＤＭのＤＬからＵＬへの切換をサポートする。したがって、ＩＥＥＥ  ８０２．１６ｅは、ＬＴＥ規格との共存のための、より優れた構成フレキシビリティを提供する。
【００７５】
例えば、図１３は、本開示のある実施形態にしたがって、構成１におけるＬＴＥ−ＴＤＤブランク・サブフレーム１１０４を、ＩＥＥＥ  ８０２．１６ｅシンボルで置き換えることを例示する。２つの連続するブランク・サブフレーム１１０４は、５ミリ秒の各ハーフ・フレーム６０２毎に、２ミリ秒の持続時間を有する。したがって、２つのＬＴＥ−ＴＤＤのブランク・サブフレーム１１０４は、最大１９のＩＥＥＥ  ８０２．１６ｅシンボルによって置き換えられうる（１９×１０２．８６マイクロ秒＝１．９５ミリ秒＜２ミリ秒）。例えば、１９のシンボルは、プリアンブル４０８のための１シンボルと、１．２３４ミリ秒の持続時間を有するＤＬサブフレーム４０２の１２シンボル（１２×１０２．８６マイクロ秒）と、０．６１７ミリ秒の持続時間を有するＵＬサブフレーム４０４の６シンボル（６×１０２．８６マイクロ秒）とを備える。このように、ＩＥＥＥ  ８０２．１６ｅ規格のプリアンブルは維持されうる。
【００７６】
前述された方法のさまざまな動作は、図面に例示されるようなｍｅａｎｓ−ｐｌｕｓ−ｆｕｎｃｉｔｏｎブロックに対応するさまざまなハードウェアおよび／またはソフトウェア構成要素（単数または複数）および／またはモジュール（単数または複数）によって実行されうる。一般に、対応するｍｅａｎｓ−ｐｌｕｓ−ｆｕｎｃｉｔｏｎ図面を有する図面に例示された方法が存在する場合、動作ブロックは、同一番号が付されたｍｅａｎｓ−ｐｌｕｓ−ｆｕｎｃｉｔｏｎブロックに対応する。例えば、図８に例示されたブロック８１０−８３０は、図８Ａに例示するｍｅａｎｓ−ｐｌｕｓ−ｆｕｎｃｉｔｏｎブロックに対応する。
【００７７】
本明細書で使用される場合、用語「判定すること（ｄｅｔｅｒｍｉｎｉｎｇ）」は、さまざまな動作を含む。例えば、「判定すること」は、計算、コンピューティング、処理、導出、調査、ルックアップ（例えば、テーブル、データベース、または他のデータ構造内のルックアップ）、確認等を含むことができる。また、「判定すること」は、受信（例えば、情報の受信）、アクセス（例えば、メモリ内のデータへのアクセス）等を含むことができる。また、「判定すること」は、解決、選択、選定、確立等を含むことができる。
【００７８】
情報および信号を、さまざまな異なる技術および技法のいずれかを使用して表すことができる。例えば、上記を通じて参照されうるデータ、命令群、コマンド、情報、信号等は、電圧、電流、電磁波、磁場または磁気粒子、光場または光学粒子、またはこれら任意の組み合わせによって表されうる。
【００７９】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロプロセッサとすることができるが、代替案では、プロセッサを、任意の市販のプロセッサ、コントローラ、マイクロコントローラ、または順序回路とすることができる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。
【００８０】
本開示に関連して説明された方法またはアルゴリズムのステップを、ハードウェアで直接的に、１または複数のプロセッサによって実行されるソフトウェア・モジュールによって、またはこの２つの組合せによって実施することができる。ソフトウェア・モジュールは、当該技術分野において周知のすべての形式の記憶媒体に常駐することができる。記憶媒体のいくつかの例は、ランダム・アクセス・メモリ（ＲＡＭ）、フラッシュ・メモリ、読取専用メモリ（ＲＯＭ）、ＥＰＲＯＭメモリ、ＥＥＰＲＯＭメモリ、レジスタ、ハード・ディスク、リムーバブル・ディスク、ＣＤ−ＲＯＭ等を含みうる。ソフトウェア・モジュールは、単一の命令または複数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００８１】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００８２】
説明された機能を、ハードウェア、ソフトウェア、ファームウェア、またはその任意の組合せで実施することができる。ソフトウェアで実現される場合、これら機能は、コンピュータ読取可能媒体に、１または複数の命令群として格納される。記憶媒体は、コンピュータによってアクセスされうる利用可能な任意の媒体である。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるディスク（ｄｉｓｋおよびｄｉｓｃ）は、コンパクト・ディスク（ＣＤ）（ｄｉｓｃ）、レーザ・ディスク（ｄｉｓｃ）、光ディスク（ｄｉｓｃ）、ディジタル・バーサタイル・ディスク（ＤＶＤ）（ｄｉｓｃ）、フロッピー（登録商標）ディスク（ｄｉｓｋ）およびブルー・レイ（登録商標）ディスク（ｄｉｓｃ）を含んでいる。ここで、ｄｉｓｋは、通常、データを磁気的に再生する一方、ｄｉｓｃは、データをレーザを用いて光学的に再生する。
【００８３】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００８４】
さらに、図面に例示されているように、本明細書に記載された方法および技術を実行するためのモジュールおよび／またはその他の適切な手段は、ダウンロードされうるか、および／または、適用可能なユーザ端末および／または基地局によって取得されうることが認識されるべきである。例えば、そのようなデバイスを、本明細書で説明した方法を実行するための手段の転送を容易にするためにサーバに結合することができる。あるいは、本明細書に記載されたさまざまな方法は、（例えば、ＲＡＭや、ＲＯＭや、例えばＣＤまたはフロッピー（登録商標）ディスク等のような物理記憶媒体である）記憶手段によって提供され、これによって、記憶手段がデバイスへ接続または提供されると、ユーザ端末および／または基地局が、さまざまな方法を取得できるようになる。さらに、本明細書で説明された方法および技法をデバイスに提供するために、その他任意の適切な技法を利用することができる。
【００８５】
特許請求の範囲は、前述した正確な構成および構成要素に限定されないことを理解されたい。さまざまな修正、変更、および変形を、特許請求の範囲の範囲から逸脱せずに、前述した方法および装置の構成、動作、および詳細において実施することができる。
以下に、本願出願の当初の特許請求の範囲に記載された発明を付記する。
[Ｃ１]
無線通信のための方法であって、
第１のラジオ・アクセス技術（ＲＡＴ）のフレームにおける１または複数のブランク・サブフレーム構造を決定することと、
前記ブランク・サブフレーム構造のタイミングを繰り返すように、第２のＲＡＴの１または複数の第２のサブフレーム構造を生成することと、
前記第１のＲＡＴのブランク・サブフレーム構造の代わりに、前記第２のＲＡＴの第２のサブフレーム構造を用いて、前記第１のＲＡＴのフレームを送信することと
を備える方法。
[Ｃ２]
前記第１のＲＡＴは、ロング・ターム・イボリューション（ＬＴＥ）であるＣ１に記載の方法。
[Ｃ３]
前記第２のＲＡＴは、ＩＥＥＥ  ８０２．１６ｍであるＣ２に記載の方法。
[Ｃ４]
前記ブランク・サブフレーム構造は、１０ミリ秒の周期を有し、３つの連続した１ミリ秒のブランク・サブフレームを備え、前記第２のサブフレーム構造は、４つのＩＥＥＥ  ８０２．１６ｍフル・サブフレームと、ＩＥＥＥ  ８０２．１６ｍショート・サブフレームとを備えるＣ３に記載の方法。
[Ｃ５]
前記ブランク・サブフレーム構造は、４０ミリ秒の周期を有し、前記第２のサブフレーム構造は、前記フレーム内にランダムに位置する１ミリ秒のブランク・サブフレームと置き換わるＣ３に記載の方法。
[Ｃ６]
前記ブランク・サブフレーム構造は、５ミリ秒毎に、２つの連続した１ミリ秒のブランク・サブフレームを備え、前記第２のサブフレーム構造は、３つのＩＥＥＥ  ８０２．１６ｍサブフレームを備えるＣ３に記載の方法。
[Ｃ７]
前記３つのＩＥＥＥ  ８０２．１６ｍサブフレームは、２つのダウンリンク（ＤＬ）サブフレームと１つのアップリンク（ＵＬ）サブフレームとを備えるＣ６に記載の方法。
[Ｃ８]
前記ブランク・サブフレーム構造は、マルチメディア・ブロードキャスト単一周波数ネットワーク（ＭＢＳＦＮ）サブフレームを備えるＣ３に記載の方法。
[Ｃ９]
前記ブランク・サブフレームは、３つの連続するＭＢＳＦＮサブフレームを備え、各ＭＢＳＦＮサブフレームは、約０．８３ミリ秒のギャップを有し、前記第２のサブフレーム構造は、３つのＩＥＥＥ  ８０２．１６ｍサブフレームを備えるＣ８に記載の方法。
[Ｃ１０]
前記ブランク・サブフレーム構造は、５ミリ秒毎に２つの連続するＭＢＳＦＮサブフレームを備え、各ＭＢＳＦＮサブフレームは、約０．８３ミリ秒のギャップを有し、前記第２のサブフレーム構造は、２つのＩＥＥＥ  ８０２．１６ｍサブフレームを備えるＣ８に記載の方法。
[Ｃ１１]
前記第２のＲＡＴは、ＩＥＥＥ  ８０２．１６ｅにしたがうワールドワイド・インタオペラビリティ・フォー・マイクロウェーブ・アクセス（ＷｉＭＡＸ）であるＣ２に記載の方法。
[Ｃ１２]
前記ブランク・サブフレーム構造は、５ミリ秒毎に２つの連続する１ミリ秒のブランク・サブフレームを備え、前記第２のサブフレーム構造は、１２の直交周波数分割多重化（ＯＦＤＭ）ダウンリンク（ＤＬ）シンボルおよび６つのＯＦＤＭアップリンク（ＵＬ）シンボルを備えるＣ１１に記載の方法。
[Ｃ１３]
格納された命令群を有するコンピュータ読取可能媒体を備える無線通信のためのコンピュータ・プログラム製品であって、
前記命令群は、１または複数のプロセッサによって実行可能であり、前記命令群は、
第１のラジオ・アクセス技術（ＲＡＴ）のフレームにおける１または複数のブランク・サブフレーム構造を決定するための命令群と、
前記ブランク・サブフレーム構造のタイミングを繰り返すように、第２のＲＡＴの１または複数の第２のサブフレーム構造を生成するための命令群と、
前記第１のＲＡＴのブランク・サブフレーム構造の代わりに、前記第２のＲＡＴの第２のサブフレーム構造を用いて、前記第１のＲＡＴのフレームを送信するための命令群と
を備えるコンピュータ・プログラム製品。
[Ｃ１４]
前記第１のＲＡＴは、ロング・ターム・イボリューション（ＬＴＥ）であるＣ１３に記載のコンピュータ・プログラム製品。
[Ｃ１５]
前記第２のＲＡＴは、ＩＥＥＥ  ８０２．１６ｍであるＣ１４に記載のコンピュータ・プログラム製品。
[Ｃ１６]
前記ブランク・サブフレーム構造は、１０ミリ秒の周期を有し、３つの連続した１ミリ秒のブランク・サブフレームを備え、前記第２のサブフレーム構造は、４つのＩＥＥＥ  ８０２．１６ｍフル・サブフレームと、ＩＥＥＥ  ８０２．１６ｍショート・サブフレームとを備えるＣ１５に記載のコンピュータ・プログラム製品。
[Ｃ１７]
前記ブランク・サブフレーム構造は、４０ミリ秒の周期を有し、前記第２のサブフレーム構造は、前記フレーム内にランダムに位置する１ミリ秒のブランク・サブフレームと置き換わるＣ１５に記載のコンピュータ・プログラム製品。
[Ｃ１８]
前記ブランク・サブフレーム構造は、５ミリ秒毎に、２つの連続した１ミリ秒のブランク・サブフレームを備え、前記第２のサブフレーム構造は、３つのＩＥＥＥ  ８０２．１６ｍサブフレームを備えるＣ１５に記載のコンピュータ・プログラム製品。
[Ｃ１９]
前記３つのＩＥＥＥ  ８０２．１６ｍサブフレームは、２つのダウンリンク（ＤＬ）サブフレームと１つのアップリンク（ＵＬ）サブフレームとを備えるＣ１８に記載のコンピュータ・プログラム製品。
[Ｃ２０]
前記ブランク・サブフレーム構造は、マルチメディア・ブロードキャスト単一周波数ネットワーク（ＭＢＳＦＮ）サブフレームを備えるＣ１５に記載のコンピュータ・プログラム製品。
[Ｃ２１]
前記ブランク・サブフレームは、３つの連続するＭＢＳＦＮサブフレームを備え、各ＭＢＳＦＮサブフレームは、約０．８３ミリ秒のギャップを有し、前記第２のサブフレーム構造は、３つのＩＥＥＥ  ８０２．１６ｍサブフレームを備えるＣ２０に記載のコンピュータ・プログラム製品。
[Ｃ２２]
前記ブランク・サブフレーム構造は、５ミリ秒毎に２つの連続するＭＢＳＦＮサブフレームを備え、各ＭＢＳＦＮサブフレームは、約０．８３ミリ秒のギャップを有し、前記第２のサブフレーム構造は、２つのＩＥＥＥ  ８０２．１６ｍサブフレームを備えるＣ２０に記載のコンピュータ・プログラム製品。
[Ｃ２３]
前記第２のＲＡＴは、ＩＥＥＥ  ８０２．１６ｅにしたがうワールドワイド・インタオペラビリティ・フォー・マイクロウェーブ・アクセス（ＷｉＭＡＸ）であるＣ１４に記載のコンピュータ・プログラム製品。
[Ｃ２４]
前記ブランク・サブフレーム構造は、５ミリ秒毎に２つの連続する１ミリ秒のブランク・サブフレームを備え、前記第２のサブフレーム構造は、１２の直交周波数分割多重化（ＯＦＤＭ）ダウンリンク（ＤＬ）シンボルおよび６つのＯＦＤＭアップリンク（ＵＬ）シンボルを備えるＣ２３に記載のコンピュータ・プログラム製品。
[Ｃ２５]
無線通信のための装置であって、
第１のラジオ・アクセス技術（ＲＡＴ）のフレームにおける１または複数のブランク・サブフレーム構造を決定する手段と、
前記ブランク・サブフレーム構造のタイミングを繰り返すように、第２のＲＡＴの１または複数の第２のサブフレーム構造を生成する手段と、
前記第１のＲＡＴのブランク・サブフレーム構造の代わりに、前記第２のＲＡＴの第２のサブフレーム構造を用いて、前記第１のＲＡＴのフレームを送信する手段と
を備える装置。
[Ｃ２６]
前記第１のＲＡＴは、ロング・ターム・イボリューション（ＬＴＥ）であるＣ２５に記載の装置。
[Ｃ２７]
前記第２のＲＡＴは、ＩＥＥＥ  ８０２．１６ｍであるＣ２６に記載の装置。
[Ｃ２８]
前記ブランク・サブフレーム構造は、１０ミリ秒の周期を有し、３つの連続した１ミリ秒のブランク・サブフレームを備え、前記第２のサブフレーム構造は、４つのＩＥＥＥ  ８０２．１６ｍフル・サブフレームと、ＩＥＥＥ  ８０２．１６ｍショート・サブフレームとを備えるＣ２７に記載の装置。
[Ｃ２９]
前記ブランク・サブフレーム構造は、４０ミリ秒の周期を有し、前記第２のサブフレーム構造は、前記フレーム内にランダムに位置する１ミリ秒のブランク・サブフレームと置き換わるＣ２７に記載の装置。
[Ｃ３０]
前記ブランク・サブフレーム構造は、５ミリ秒毎に、２つの連続した１ミリ秒のブランク・サブフレームを備え、前記第２のサブフレーム構造は、３つのＩＥＥＥ  ８０２．１６ｍサブフレームを備えるＣ２７に記載の装置。
[Ｃ３１]
前記３つのＩＥＥＥ  ８０２．１６ｍサブフレームは、２つのダウンリンク（ＤＬ）サブフレームと１つのアップリンク（ＵＬ）サブフレームとを備えるＣ３０に記載の装置。
[Ｃ３２]
前記ブランク・サブフレーム構造は、マルチメディア・ブロードキャスト単一周波数ネットワーク（ＭＢＳＦＮ）サブフレームを備えるＣ２７に記載の装置。
[Ｃ３３]
前記ブランク・サブフレームは、３つの連続するＭＢＳＦＮサブフレームを備え、各ＭＢＳＦＮサブフレームは、約０．８３ミリ秒のギャップを有し、前記第２のサブフレーム構造は、３つのＩＥＥＥ  ８０２．１６ｍサブフレームを備えるＣ３２に記載の装置。
[Ｃ３４]
前記ブランク・サブフレーム構造は、５ミリ秒毎に２つの連続するＭＢＳＦＮサブフレームを備え、各ＭＢＳＦＮサブフレームは、約０．８３ミリ秒のギャップを有し、前記第２のサブフレーム構造は、２つのＩＥＥＥ  ８０２．１６ｍサブフレームを備えるＣ３２に記載の装置。
[Ｃ３５]
前記第２のＲＡＴは、ＩＥＥＥ  ８０２．１６ｅにしたがうワールドワイド・インタオペラビリティ・フォー・マイクロウェーブ・アクセス（ＷｉＭＡＸ）であるＣ２６に記載の装置。
[Ｃ３６]
前記ブランク・サブフレーム構造は、５ミリ秒毎に２つの連続する１ミリ秒のブランク・サブフレームを備え、前記第２のサブフレーム構造は、１２の直交周波数分割多重化（ＯＦＤＭ）ダウンリンク（ＤＬ）シンボルおよび６つのＯＦＤＭアップリンク（ＵＬ）シンボルを備えるＣ３５に記載の装置。
[Ｃ３７]
無線通信のための装置であって、
第１のラジオ・アクセス技術（ＲＡＴ）のフレームにおける１または複数のブランク・サブフレーム構造を決定するためのロジックと、
前記ブランク・サブフレーム構造のタイミングを繰り返すように、第２のＲＡＴの１または複数の第２のサブフレーム構造を生成するためのロジックと、
前記第１のＲＡＴのブランク・サブフレーム構造の代わりに、前記第２のＲＡＴの第２のサブフレーム構造を用いて、前記第１のＲＡＴのフレームを送信するためのロジックと
を備える装置。
[Ｃ３８]
前記第１のＲＡＴは、ロング・ターム・イボリューション（ＬＴＥ）であるＣ３７に記載の装置。
[Ｃ３９]
前記第２のＲＡＴは、ＩＥＥＥ  ８０２．１６ｍであるＣ３８に記載の装置。
[Ｃ４０]
前記ブランク・サブフレーム構造は、１０ミリ秒の周期を有し、３つの連続した１ミリ秒のブランク・サブフレームを備え、前記第２のサブフレーム構造は、４つのＩＥＥＥ  ８０２．１６ｍフル・サブフレームと、ＩＥＥＥ  ８０２．１６ｍショート・サブフレームとを備えるＣ３９に記載の装置。
[Ｃ４１]
前記ブランク・サブフレーム構造は、４０ミリ秒の周期を有し、前記第２のサブフレーム構造は、前記フレーム内にランダムに位置する１ミリ秒のブランク・サブフレームと置き換わるＣ３９に記載の装置。
[Ｃ４２]
前記ブランク・サブフレーム構造は、５ミリ秒毎に、２つの連続した１ミリ秒のブランク・サブフレームを備え、前記第２のサブフレーム構造は、３つのＩＥＥＥ  ８０２．１６ｍサブフレームを備えるＣ３９に記載の装置。
[Ｃ４３]
前記３つのＩＥＥＥ  ８０２．１６ｍサブフレームは、２つのダウンリンク（ＤＬ）サブフレームと１つのアップリンク（ＵＬ）サブフレームとを備えるＣ４２に記載の装置。
[Ｃ４４]
前記ブランク・サブフレーム構造は、マルチメディア・ブロードキャスト単一周波数ネットワーク（ＭＢＳＦＮ）サブフレームを備えるＣ３９に記載の装置。
[Ｃ４５]
前記ブランク・サブフレームは、３つの連続するＭＢＳＦＮサブフレームを備え、各ＭＢＳＦＮサブフレームは、約０．８３ミリ秒のギャップを有し、前記第２のサブフレーム構造は、３つのＩＥＥＥ  ８０２．１６ｍサブフレームを備えるＣ４４に記載の装置。
[Ｃ４６]
前記ブランク・サブフレーム構造は、５ミリ秒毎に２つの連続するＭＢＳＦＮサブフレームを備え、各ＭＢＳＦＮサブフレームは、約０．８３ミリ秒のギャップを有し、前記第２のサブフレーム構造は、２つのＩＥＥＥ  ８０２．１６ｍサブフレームを備えるＣ４４に記載の装置。
[Ｃ４７]
前記第２のＲＡＴは、ＩＥＥＥ  ８０２．１６ｅにしたがうワールドワイド・インタオペラビリティ・フォー・マイクロウェーブ・アクセス（ＷｉＭＡＸ）であるＣ３８に記載の装置。
[Ｃ４８]
前記ブランク・サブフレーム構造は、５ミリ秒毎に２つの連続する１ミリ秒のブランク・サブフレームを備え、前記第２のサブフレーム構造は、１２の直交周波数分割多重化（ＯＦＤＭ）ダウンリンク（ＤＬ）シンボルおよび６つのＯＦＤＭアップリンク（ＵＬ）シンボルを備えるＣ４７に記載の装置。
【図１】
0005199485.tif 000002
【図２】
0005199485.tif 000003
【図３】
0005199485.tif 000004
【図４】
0005199485.tif 000005
【図５】
0005199485.tif 000006
【図６】
0005199485.tif 000007
【図７】
0005199485.tif 000008
【図８】
0005199485.tif 000009
【図８Ａ】
0005199485.tif 000010
【図９】
0005199485.tif 000011
【図１０】
0005199485.tif 000012
【図１１】
0005199485.tif 000013
【図１２】
0005199485.tif 000014
【図１３】
0005199485.tif 000015